(57)【要約】【課題】  既存の扉へ扉施解錠検知装置を設置するにあたり、装置への配線工事を不要とし、検知装置単独で無線ＬＡＮによりインターネットへアクセスする機能を持たせた装置を提供すること。【解決手段】  無線ＬＡＮ接続機能を含み、電源を小型の電池としながらも長期間の連続使用を可能とするため、扉施解錠を検知したときだけＣＰＵを起動させ無線通信を実行し、それ以外の期間はＣＰＵの演算や無線通信を停止して消費電流を低減する。【選択図】           図１
2020109232.tif 000002
【特許請求の範囲】
【請求項１】
常時は電池からの電源を供給されているが命令実行停止状態にあるＣＰＵを設け、扉の施錠操作ツマミに永久磁石を取り付け、施錠時または開錠時に磁力が到達する位置に、磁力を感知するとＨまたはＬレベルを出力する磁気センサを設け、２個または１個のコンデンサ、２個または１個の抵抗器、1個の排他的論理和ユニットをもって構成する論理回路により、入力がＬからＨへの変化、またはＨからＬへの変化いずれでもパルスを発生させ、これをＣＰＵのリセット入力に接続して、施錠、開錠いずれかの状態変化が起きるとＣＰＵが命令の実行を開始し、無線ＬＡＮのネットワークに接続し、ＣＰＵが磁気センサの出力状態を読み込んでインターネットを介してサーバにアップロードし、アップロードが終了すると無線ＬＡＮを切断し、ＣＰＵは命令実行停止状態に移行して消費電流を軽減する回路を有する、扉施解錠検知装置。
【請求項２】
請求項１に記載の扉施解錠検知装置において、２個または１個のコンデンサ、２個または１個の抵抗器、1個の排他的論理和ユニットをもって構成する論理回路のかわりに、２個の単安定マルチバイブレータと１個のインバータ、１個の論理和ユニットを使用して、入力がＬからＨへの変化、またはＨからＬへの変化、いずれでもパルスを発生する論理回路を構成し、これをＣＰＵのリセット入力に接続してなる、扉施解錠検知装置。
【発明の詳細な説明】
【技術分野】
【０００１】
本発明は、扉の施解錠を検知する装置で、遠隔地から状態を確認できる扉施解錠検知装置に関するものである。
【背景技術】
【０００２】
扉の施解錠を検知する装置としては、扉枠と、該扉枠に開閉自在に設けられ施錠により突出したデッドボルトを該扉枠に設けられたストライクに挿入することで前記デッドボルトがスイッチ感知部を押し前記スイッチ感知部の出力をＣＰＵの入力とし、スイッチのＯＮ、ＯＦＦが切り替わったことを感知したらインターネットを経由しサーバに施錠開錠の状態の情報を送ることで、スマートフォン、パソコン端末から前記サーバにアクセスすることにより鍵の施錠開錠状態を確認出来るものなどが知られている。
【０００３】
しかし、この種の装置は扉枠に電源や信号の配線を通したり、スイッチを取り付けるための扉回りの構造物に対する工事が不可欠で、検知部とは別にインターネットへアクセスするための装置の設置や配線も必要であり、施解錠検知装置本体のコスト以外の工事費用が大きく、手軽な設置はままならなかった。
【先行技術文献】
【特許文献】
【０００４】
【特許文献１】特開２０１６−１２５２６３公報
【発明の概要】
【発明が解決しようとする課題】
【０００５】
解決しようとする問題は、既存の扉へ扉施解錠検知装置を設置するにあたり、検知部とは別筐体のインターネットへアクセスする装置の設置や、建物への配線工事が必要な点である。
【課題を解決するための手段】
【０００６】
本発明は、扉施解錠検知装置に無線ＬＡＮ接続機能と小型の電池を一体的に組込む形状とし、外部の電源を接続しなくても長期間の連続使用を可能とするため、扉施解錠を検知したときだけＣＰＵを起動させ無線通信を実行し、それ以外の期間はＣＰＵの演算や無線通信を停止して消費電流を低減する回路によって、検知部と外部との間に電源や信号のための配線を不要としたことを主な特徴とする。
【発明の効果】
【０００７】
本発明の扉施解錠検知装置は、既存の扉に対して鍵の開閉を検知するのに大掛かりな工事を不要とし、検知部とは別のインターネットへアクセスする装置の設置や電源や信号の配線も不要として、手軽に扉施解錠検知装置を設置できる。
【図面の簡単な説明】
【０００８】
【図１】図１は扉施解錠検知装置の設置状況全体を示した説明図である。
【図２】図２は扉施解錠検知装置の電子回路を示した説明図である。
【図３】図３は扉施解錠検知装置の電子回路の他の実施例を示した説明図である。
【発明を実施するための形態】
【０００９】
電源や信号の配線を不要とするため、電源は内蔵する電池を使用、通信手段は無線ＬＡＮを使用、この構成で扉の施解錠を常時監視するため従来技術でＣＰＵを連続稼働させると稼働時間が著しく短くなって電池の交換が煩雑になるため、施解錠の状態が変化したときだけＣＰＵが動作し、短時間の無線ＬＡＮ接続ですぐに切断するようなＣＰＵのリセット回路をもちいている。
【実施例１】
【００１０】
図１は、本発明装置の１実施例の設置状況全体を示した図である。１は扉施解錠検知装置、２は扉、３は施錠操作ツマミで垂直、水平に向きを変えて施錠解錠の操作を行う。４は永久磁石で図の上下方向に磁力を発生している。５は無線ＬＡＮ親機、６はインターネット回線、７はサーバ、８はスマートフォン等の端末機器である。
【００１１】
図２は、本発明装置の１実施例の扉施解錠検知装置を構成する電子回路の概略を示す図である。９は磁気センサ（リードスイッチ）であり図1の扉施解錠検知装置の上端に内蔵されている。１０は抵抗器、１１、１２は同じ抵抗値の抵抗器、１３はコンデンサ、１４は１３より容量の大きなコンデンサ、１５は排他的論理和を得るユニット、１６はＣＰＵ，１７は内蔵アンテナを含む無線ＬＡＮユニット。本発明の主体は検知装置の電子回路の構成とＣＰＵの動作にあるので、無線ＬＡＮやインターネット、サーバの説明は省略する。
【００１２】
図２の回路において、ＣＰＵならびに無線ＬＡＮユニットを動作させたときの消費電流は大きく、小さな電池を電源とする機器にあっては、扉施解錠検知を実現するために連続動作させた場合、数日程度の短い寿命となってしまい、頻繁に電池交換の必要が生じてしまう。そこで施解錠の操作をしていない大部分の時間はＣＰＵと無線ＬＡＮユニットの動作を停止し、ＣＰＵ等に比べ消費電流の小さい磁気センサと論理ＩＣだけを常時稼働させる。
【００１３】
図1の施錠操作ツマミの状態は磁石の磁力線が磁気センサーを貫く位置関係であり、磁気センサーは磁力を検知しているが、図２の磁気センサ１０は、磁力が無い状態では開であり、抵抗器９によって電源電圧すなわちＨレベル（以下同様）の出力となる。磁力を検知すると接点が閉じ、出力は接地電圧すなわちＬレベル（以下同様）となる。施錠操作つまみを回して施解錠の操作をすると、つまみに取り付けられている永久磁石の位置と向きが変化することで、磁気センサに到達する磁力が変化して磁気センサの出力電圧がＬからＨ、またはＨからＬへと変化する。
【００１４】
施解錠動作をしていないときは、排他的論理和を得るユニットである１５のＡ，Ｂ両入力がＨまたはＬとなって、出力レベルはＬである。
ここで施解錠動作をして、磁気センサの出力がたとえばＬからＨに変化したとき、論理ＩＣの入力Ａの電圧は、１１と１３で決まる時定数によって徐々に上がっていき、ＩＣのスレッショルド電圧を超えると入力ＡがＨと検知される。一方入力Ｂの電圧は１２と１４で決まる時定数によって徐々に上がるが、１４は１３より容量が大きいのでさらにゆっくりと電圧が上昇する。ＩＣの入力ＢがＨレベルであると検知されるのはＡよりも相当期間遅れるので、その間はＡとＢの入力レベルが不一致となり、排他的論理和の出力がＨとなる。その後ＢのレベルもＨになると排他的論理和の出力はＬレベルに戻る。
【００１５】
排他的論理和の出力をＣＰＵのリセット入力端子に接続することで、命令実行停止状態にあるＣＰＵのリセットシーケンスを起動し、命令実行状態に移行することができる。
【００１６】
以上は磁気センサの出力がＬからＨに変化したときの動作を説明しているが、ＨからＬへ変化しても、全く同様の排他的論理和の出力を得ることができ、施錠、開錠の動作の何れにおいてもＣＰＵのリセットシーケンスを起動することができる。ここで、ＩＮ１のレベルがＨで施錠状態とするか、Ｌで施錠状態とするかは、扉施解錠検出装置を扉に設置するときの施錠操作ツマミとの相対位置を変えることで自由に選択することができる。
【００１７】
ＣＰＵが起動すると、ＩＮ１の入力がＨかＬかを検知し、無線ＬＡＮユニットに無線ＬＡＮを通してインターネットに接続する指令を出し、所定のプロトコル、たとえばＨＴＴＰＳを用いてサーバへ入力値をアップロードする。アップロードが完了したら無線ＬＡＮユニットを停止し、ＣＰＵ自身も命令実行停止状態へ移行して消費電流を低減し、次の扉施解錠を待ち受ける。
【００１８】
一方、スマートフォン等のインターネットに接続された端末を使えば、サーバにアップロードされたデータを問い合わせることで当該扉の施解錠状態を遠隔地からいつでも確認することができる。あるいはサーバにアップロードされたときに、その旨の電子メールを発信することによって端末に対して能動的に通知を行うこともできる。
【００１９】
図２において、論理ＩＣの入力Ａにつながる抵抗器１１とコンデンサ１３を省略し、磁気センサの出力を直接論理ＩＣの入力Ａに接続した構成でも同様の機能を得ることができるが、磁気センサの切り替わり時のチャタリングによる不要な信号を抑制するために、必要に応じてこの抵抗器とコンデンサは実装すべきである。
【００２０】
図３は請求項２にかかる装置の実施例を示した図であり、単安定マルチバイブレータ１９のトリガ入力ＣＫ１にはインバータを介して磁気センサーの出力を接続してあり、センサーの出力がＨからＬへ変化したときにリセットパルスを発生する。また、単安定マルチバイブレータ２０のトリガ入力ＣＫ２には磁気センサーの出力が直接接続してあり、センサーの出力がＬからＨに変化したときにリセットパルスを発生する。二つの単安定マルチバイブレータの出力は論理和を取るＩＣ２１の入力Ａ、Ｂにそれぞれつながっているから、いずれかのパルスが発生するとＣＰＵのリセットシーケンスを起動できる。
【産業上の利用可能性】
【００２１】
本発明の扉施解錠検知装置は、電源は内蔵する小さな電池を使用、通信手段は内蔵する無線ユニットを使用しており、電源や信号の配線は不要であり、建物へ配線工事をする必要が無く、本装置単体を扉の施錠操作ツマミの近傍に設置し、ツマミに磁石を取り付けるだけで装置の利用が可能になる。そして、施解錠の状態が変化したときだけＣＰＵが動作し、短時間の無線ＬＡＮ接続ですぐに切断する回路によって、電源に使用する小さな電池の交換間隔を延ばすことができるので大変有用である。
【符号の説明】
【００２２】
１    扉施解錠検知装置
２    扉
３    施錠操作ツマミ
４    永久磁石
５    無線ＬＡＮ親機
６    インターネット回線
７    サーバ
８    スマートフォン等の端末機器
９    磁気センサ（リードスイッチ）
１０  抵抗器
１１  抵抗器
１２  抵抗器
１３  コンデンサ
１４  コンデンサ
１５  排他的論理和を得るユニット
１６  ＣＰＵ
１７  アンテナを内蔵する無線ＬＡＮユニット
１８  インバータ
１９  単安定マルチバイブレータ
２０  単安定マルチバイブレータ
２１  論理和を得るユニット
【図１】
2020109232.tif 000003
【図２】
2020109232.tif 000004
【図３】
2020109232.tif 000005